(57)【要約】      （修正有）【課題】特異な趣きを有し、使用者が楽しく使用できる新規で独特な外観性をもったコップを提供する。【解決手段】コップ１１の透明部分にコップ内周面側とコップ外周面側とに事物の異なった表裏面がそれぞれ現出される図柄部３０，２１，２５等を設けたことを特徴とする図柄付きコップ１０に係り、前記図柄部は、表裏面に異なった図柄を有する単一面として、コップ外周面１３に形成する。また、コップ外周面側が暗色面によって形成されコップ内周面１２側が前記暗色面に明色模様部が形成されてなるものとすることが好ましく、さらに、前記図柄部が形成されたコップ部分に対応する他のコップ部分に前記図柄部と対応する他の図柄部を形成することもできる。【選択図】図１
0003147946.tif 000002
【実用新案登録請求の範囲】
【請求項１】
コップの透明部分にコップ内周面側とコップ外周面側とに事物の異なった表裏面がそれぞれ現出される図柄部を設けたことを特徴とする図柄付きコップ。
【請求項２】
前記図柄部が表裏面に異なった図柄を有する単一面よりなる請求項１に記載の図柄付きコップ。
【請求項３】
前記図柄部がコップ外周面に形成されている請求項１又は２に記載の図柄付きコップ。
【請求項４】
前記図柄部が、コップ外周面側が暗色面によって形成されコップ内周面側が前記暗色面に明色模様部が形成されてなるものである請求項１ないし３のいずれか１項に記載の図柄付きコップ。
【請求項５】
前記図柄部が形成されたコップ部分に対応する他のコップ部分に前記図柄部と対応する他の図柄部が形成された請求項１ないし４のいずれか１項に記載の図柄付きコップ。
【請求項６】
前記図柄部が動物図柄よりなりコップ内周面側に正面部が現出されコップ外周面側に背面部が現出される請求項１ないし５のいずれか１項に記載の図柄付きコップ。
【請求項７】
前記の図柄部が動物図柄よりなりかつ前記他の図柄部が前記動物図柄の動物の好物図柄を含むものよりなる請求項５又は６に記載の図柄付きコップ。
【考案の詳細な説明】
【技術分野】
【０００１】
この考案は図柄付きコップに関する。
【背景技術】
【０００２】
ガラスやプラスチックのコップには各種の図柄が付されている。これらの図柄はコップ外周面に形成されていて、コップ外周側から見られることを前提とされている。もっとも、例えば花柄や幾何学的な模様などにあっては、図柄が透明なコップ内周面側にも現出し、結果的にコップ外周及び内周の両面に同一の図柄部が形成されるものもある。
【０００３】
本考案者は、コップの透明部分に図柄部を形成した場合において、コップ外周側から見たときに現出される図柄と内周側から見たときに見える図柄とが異なれば、趣きの異なった独特な外観性を得ることができ、さらに表裏で特定の関係をもった図柄とすれば、使用者が楽しく使用できる特別なコップとすることができることを見いだした。
【考案の開示】
【考案が解決しようとする課題】
【０００４】
すなわち、この考案は、特異な趣きを有し、使用者が楽しく使用できる新規で独特な外観性をもったコップの構成を提案することを目的とする。
【課題を解決するための手段】
【０００５】
請求項１の考案は、コップの透明部分にコップ内周面側とコップ外周面側とに事物の異なった表裏面がそれぞれ現出される図柄部を設けたことを特徴とする図柄付きコップに係る。
【０００６】
また、請求項２の考案は、前記図柄部が表裏面に異なった図柄を有する単一面よりなる請求項１に記載の図柄付きコップに係る。
【０００７】
請求項３の考案は、前記図柄部がコップ外周面に形成されている請求項１又は２に記載の図柄付きコップに係る。
【０００８】
また、請求項４の考案は、前記図柄部が、コップ外周面側が暗色面によって形成されコップ内周面側が前記暗色面に明色模様部が形成されてなるものである請求項１ないし３のいずれか１項に記載の図柄付きコップに係る。
【０００９】
請求項５の考案は、前記図柄部が形成されたコップ部分に対応する他のコップ部分に前記図柄部と対応する他の図柄部が形成された請求項１ないし４のいずれか１項に記載の図柄付きコップに係る。
【００１０】
請求項６の考案は、前記図柄部が動物図柄よりなりコップ内周面側に正面部が現出されコップ外周面側に背面部が現出される請求項１ないし５のいずれか１項に記載の図柄付きコップに係る。
【００１１】
請求項７の考案は、前記の図柄部が動物図柄よりなりかつ前記他の図柄部が前記動物図柄の動物の好物図柄を含むものよりなる請求項５又は６に記載の図柄付きコップに係る。
【考案の効果】
【００１２】
請求項１の考案に係る図柄付きコップによれば、コップの透明部分にコップ内周面側とコップ外周面側とに事物の異なった表裏面がそれぞれ現出される図柄部を設けたものであるから、コップに趣きの異なった独特な外観性を付与することができ、使用者が楽しく使用できる特別なコップを提供することができる。
【００１３】
また、請求項２の考案によれば、前記図柄部が表裏面に異なった図柄を有する単一面よりなるものであるから、その作成が容易で、経済的である。
【００１４】
請求項３の考案によれば、前記図柄部がコップ外周面に形成されているものであるから、その作成がさらに簡単、容易で、経済的である。
【００１５】
また、請求項４の考案によれば、前記図柄部が、コップ外周面側が暗色面によって形成されコップ内周面側が前記暗色面に明色模様部が形成されてなるものであるから、確実でより明瞭な図柄部が作成される。
【００１６】
請求項５の考案によれば、前記図柄部が形成されたコップ部分に対応する他のコップ部分に前記図柄部と対応する他の図柄部が形成されたものであるから、両図柄部同士があいまってより趣きの異なった独特な外観性を付与することができ、使用者が楽しく使用できる。
【００１７】
請求項６の考案によれば、前記図柄部が動物図柄よりなりコップ内周面側に正面部が現出されコップ外周面側に背面部が現出されるものであるから、親しみやすく使用者が楽しく使用できる。
【００１８】
請求項７の考案によれば、請求項５又は６に記載の図柄付きコップにおいて、前記の図柄部が動物図柄よりなりかつ前記他の図柄部が前記動物図柄の動物の好物図柄を含むものよりなるものであるから、小さな子供から大人まで親しみやすく使用者が楽しく使用できる。
【考案を実施するための最良の形態】
【００１９】
以下添付の図面に従ってこの考案を詳細に説明する。
図１はこの考案の一実施例を表す図柄付きコップの正面側から見た斜視図、図２は図１のコップの背面側から見た斜視図、図３は他の実施例のコップを表す正面側斜視図、図４は図３のコップの背面側斜視図である。
【００２０】
図１及び図２ならびに図３及び図４に示したように、この考案の図柄コップ１０は、コップ１１の透明部分にコップ内周面側１２とコップ外周面側１３とに事物Ｐの異なった表裏面Ｐ１，Ｐ２がそれぞれ現出される図柄部２０を設けたことを特徴とするものである。コップ１１は透明部分を有するものであれば、ガラス、プラスチック等何でもよいが、実施例では、全面が透明なガラスコップを用いた。
【００２１】
コップ１１の透明部分に形成される図柄部２０は、請求項２の考案として規定したように、表裏面に異なった図柄２５，２６を有する単一面２１より構成し、かつ請求項３の考案として規定したように、コップ外周面１３に形成されるのが、その作成上簡単容易で、経済的である。
【００２２】
このような図柄部２０は、例えば、コップ外周面１３に、事物Ｐここでは犬（猫）の表面Ｐ１側である顔の目、鼻、口及び脚の図柄２５を公知のシルクスクリーン法などによって印刷し、次いで前記表側図柄２５の上に、犬（猫）の裏面Ｐ２側である全体の後姿図柄２６を同じくシルクスクリーン法などによって重ねて印刷することによって形成することができる。なお、この外に、表裏面に異なった図柄を印刷形成した転写シートをコップ面に転写してもよい。
【００２３】
また、請求項４の考案として規定したように、前記図柄部２０を、コップ外周面１３側が例えば黒色や濃い赤、青、緑などの暗色面によって形成し、コップ内周面１２側が前記暗色面に例えば白色や淡い黄、ピンクなどの明色模様部によって形成すると、明暗のコントラストにより確実でより明瞭な図柄部を表裏面に作成することができる。
【００２４】
さらに、別の実施例として、請求項５の考案として規定したように、前記図柄部２０が形成されたコップ部分に対応する他のコップ部分に前記図柄部２０と対応する他の図柄部３０を形成すると、両図柄部２０，３０同士があいまってより趣きの異なった独特な外観性を付与することができ、使用者が楽しく使用できる。
【００２５】
上の具体例としては、請求項６及び請求項７の考案として規定しかつ図示したように、前記図柄部２０が犬や猫の動物図柄よりなりコップ内周面側に正面部が現出されコップ外周面側に背面部が現出されるものとするとともに、他のコップ部分には前記他の図柄部３０が前記動物図柄の動物の好物図柄、つまり図１、２の犬であれば骨３１、図３、４の猫であれば魚３２などを、それらの足跡模様３３などと一緒に形成することによって、図柄部２０，３０にストーリー性（すなわち好物を狙っている犬、猫）が付与され、より趣きのあるものとなる。
【００２６】
このように、この考案によれば、コップの透明性を利用して、コップ内周面側とコップ外周面側とに事物の異なった表裏面を現出させ、コップに趣きの異なった独特な外観性を付与して、使用者が楽しく使用できる特別なコップを提供することができ、商品の差別化を図ることが可能となる。
【図面の簡単な説明】
【００２７】
【図１】この考案の一実施例を表す図柄付きコップの正面側から見た斜視図である。
【図２】図１のコップの背面側から見た斜視図である。
【図３】他の実施例のコップを表す正面側斜視図である。
【図４】図３のコップの背面側斜視図である。
【符号の説明】
【００２８】
１０  図柄付きコップ
１１  コップ
１２  内周面
１３  外周面
２０  図柄部
２５  内周面側図柄
２６  外周面側図柄
３０  他の図柄部
３１、３２  好物図柄部
【図１】
0003147946.tif 000003
【図２】
0003147946.tif 000004
【図３】
0003147946.tif 000005
【図４】
0003147946.tif 000006